【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
それぞれが、電力消費の記録を生成するようにプログラムされたバッテリー式電子デバイスのコレクションであって、それぞれのデバイスが、
バッテリーと、
複数の異なるアプリケーションを実行するようにプログラムされたデータ処理ユニットと、
電力消費の前記記録を出力するための通信インターフェースと
を有するバッテリー式電子デバイスのコレクションと、
電力消費出力の前記記録を前記バッテリー式電子デバイスから受信するようにプログラムされた通信インターフェースと、
前記コレクション内の前記バッテリー式電子デバイスの適切なサブセット上で実行された第1のアプリケーションによる前記電力消費の代表的な特性を提供する複合値を生成するために、前記記録内に記録された前記電力消費を解析するようにプログラムされた1つまたは複数のデータ処理デバイスと
を有するサーバシステムと
を具備することを特徴とする電子デバイス用の電力管理システム。
【請求項２】
前記サーバシステムが、電力消費の前記記録の内容のうちの少なくともいくつかを記憶する電力消費データベースをさらに有することを特徴とする請求項１に記載のシステム。
【請求項３】
前記バッテリー式電子デバイスまたは前記バッテリー式電子デバイスに関連するユーザの識別が前記電力消費データベース内に記憶された前記内容から識別できないように、電力消費の前記記録を匿名にするようにプログラムされたアノニマイザをさらに具備することを特徴とする請求項２に記載のシステム。
【請求項４】
前記サーバシステムが、第1のアプリケーションの前記電力消費内の異常値を識別するために、前記記録内に記録された前記電力消費を解析するようにさらにプログラムされることを特徴とする請求項１に記載のシステム。
【請求項５】
前記サーバシステムが、前記コレクション内の前記バッテリー式電子デバイスの特性を識別する情報を記憶するデータベースを有し、
前記サーバシステムが、前記電力消費異常値と前記バッテリー式電子デバイスの特性との間の相関関係を識別するようにさらにプログラムされる
ことを特徴とする請求項４に記載のシステム。
【請求項６】
前記データベースが、前記コレクション内の前記バッテリー式電子デバイス上にインストールされたアプリケーションを識別する情報を記憶し、
前記バッテリー式電子デバイスの前記特性が、前記電力消費異常値が発生した前記バッテリー式電子デバイス上にインストールされた第2のアプリケーションを含む
ことを特徴とする請求項５に記載のシステム。
【請求項７】
1つまたは複数のデータ処理装置によって実行される方法であって、
前記データ処理装置において、異なるユーザによって操作されるバッテリー式電子デバイスのコレクションによる電力消費の履歴記録を受信する段階であって、前記バッテリー式電子デバイスのそれぞれが1つのクラスに属する、受信する段階と、
前記データ処理装置によって、異なるクラスの前記バッテリー式電子デバイス上の前記電力消費の代表的な特性を生成するために、前記履歴記録を集約および解析する段階と、
前記データ処理装置から、前記異なるクラス上で実行された異なるアプリケーションによる前記電力消費の前記代表的な特性を出力する段階と
を含むことを特徴とする方法。
【請求項８】
前記電力消費の前記特性を出力する段階が、第1のクラスに属している他のバッテリー式電子デバイス上のアプリケーションによって消費された電力の効率を示す電力定格印(power rating indicia)を含む提示を表示するための命令を前記第1のクラスに属する第1のバッテリー式電子デバイスに出力する段階を含むことを特徴とする請求項７に記載の方法。
【請求項９】
前記履歴記録を解析する段階が、複数のデバイス上で実行している第1のアプリケーションの前記電力消費内の異常値を識別する段階を含むことを特徴とする請求項７に記載の方法。
【請求項１０】
前記履歴記録を解析する段階が、前記電力消費内の異常値と複数のデバイス上の第2のアプリケーションの実行との間の相関関係を識別する段階をさらに含むことを特徴とする請求項９に記載の方法。
【請求項１１】
前記履歴記録を解析する段階が、前記電力消費内の異常値と複数のデバイスのハードウェア構成要素の存在との間の相関関係を識別する段階をさらに含むことを特徴とする請求項９に記載の方法。
【請求項１２】
電力消費の前記履歴記録を受信する段階が、前記バッテリー式電子デバイス上の特定のアプリケーションに起因付けされていない電力消費の記録を受信する段階を含み、
前記方法が、前記データ処理装置によって、前記起因付けされていない電力消費を前記バッテリー式電子デバイス上でアクティブな特定のアプリケーションに起因付ける段階をさらに含む
ことを特徴とする請求項７に記載の方法。
【請求項１３】
前記起因付けされていない電力消費を起因付ける段階が、前記バッテリー式電子デバイス上にインストールされたアプリケーションの記録から前記アクティブなアプリケーションを識別する段階を含むことを特徴とする請求項１２に記載の方法。
【請求項１４】
前記代表的な特性が、
第1のクラスのバッテリー式電子デバイス上で実行した第1のアプリケーションによる単位時間当たりの平均電力消費の特性と、
前記第1のクラスのバッテリー式電子デバイス上で実行した第2のアプリケーションよる単位時間当たりの平均電力消費の特性と、
第2のクラスのバッテリー式電子デバイス上で実行した前記第1のアプリケーションによる単位時間当たりの平均電力消費の特性と、
前記第2のクラスのバッテリー式電子デバイス上で実行した前記第2のアプリケーションによる単位時間当たりの平均電力消費の特性と
を含むことを特徴とする請求項７に記載の方法。
【請求項１５】
コンピュータプログラムを用いて符号化された有形のコンピュータ記録媒体であって、前記プログラムは、データ処理装置によって実行されるとき、前記データ処理装置に、
異なるユーザによって操作されるバッテリー式電子デバイスのコレクションによる電力消費の履歴記録を受信する段階と
バッテリー式電子デバイス上で実行している異なるアプリケーションに前記電力消費を起因付けする段階と、
それぞれがバッテリー式電子デバイス上で実行しているアプリケーションの一つによる代表的な電力消費を特徴付ける複合値のコレクションを生成する段階と、
前記複合値を報告する段階と、
を有する動作を実行させる命令を有することを特徴とする有形のコンピュータ記録媒体。
【請求項１６】
前記複合値は、それぞれ、バッテリー式電子デバイスの異なるクラス上の前記アプリケーションのうちの1つの実行によって、単位時間当たりの代表的な電力消費を特徴付けることを特徴とする請求項１５に記載のコンピュータ記録媒体。
【請求項１７】
前記履歴記録は、前記バッテリー式電子デバイスの個々の前記バッテリー式電子デバイスのチェックインの間に受信されることを特徴とする請求項１５に記載のコンピュータ記録媒体。
【請求項１８】
前記履歴記録は、前記バッテリー式電子デバイスのバッテリーの放電率を有することを特徴とする請求項１５に記載のコンピュータ記録媒体。
【請求項１９】
前記動作は、前記バッテリー式電子デバイス上にインストールされたアプリケーションの使用を特徴付ける使用情報を受信する段階をさらに有することを特徴とする請求項１５に記載のコンピュータ記録媒体。
【請求項２０】
前記使用情報は、アプリケーションが前記バッテリー式電子デバイス上で同時に使用される期間の存続期間を特徴付けることを特徴とする請求項１５に記載のコンピュータ記録媒体。
【請求項２１】
データ処理装置によって実行される方法であって、前記方法は、
バッテリー式電子デバイスのハードウェア構成要素の使用を、前記データ処理装置を使用して識別する段階であって、前記バッテリー式電子デバイスは、前記データ処理装置を含む複数のハードウェア構成要素と複数のソフトウェアアプリケーションとを含む、識別する段階と、
前記バッテリー式電子デバイスの複数の局面に前記ハードウェア構成要素の使用の結果生じる電力消費を起因付ける段階であって、前記前記ハードウェア構成要素の使用の結果生じる電力消費を起因付ける段階が、前記ハードウェア構成要素と前記ハードウェア構成要素を使用するソフトウェアアプリケーションとに前記電力消費を起因付けする段階を含む、起因付ける段階と、
前記起因付けされた電力消費を、前記データ処理装置を使用して記録する段階と、
ユーザに電力消費フィードバックを、前記データ処理装置を使用して提示する段階と
を有し、
前記電力消費フィードバックは、
前記ハードウェア構成要素と、
前記ハードウェア構成要素を使用する前記ソフトウェアアプリケーションと、
前記起因付けされた電力消費と
を識別することを特徴とする方法。
【請求項２２】
前記ソフトウェアアプリケーションによって前記ハードウェア構成要素の使用を監視する段階と、
前記ソフトウェアアプリケーションに起因付けされた電力消費に、前記ハードウェア構成要素の使用を変換する段階と
をさらに有することを特徴とする請求項２１に記載の方法。
【請求項２３】
前記ハードウェア構成要素は、無線トランシーバを具備し、
前記電力消費に前記ハードウェア構成要素の使用を変換する段階は、前記無線トランシーバの使用の間の信号強度の範囲を識別する段階を有する
ことを特徴とする請求項２２に記載の方法。
【請求項２４】
前記ハードウェア構成要素は、ディスプレイを具備し、
前記電力消費に前記ハードウェア構成要素の使用を変換する段階は、前記使用の間の前記ディスプレイの輝度状態を識別する段階を有する
ことを特徴とする請求項２２に記載の方法。
【請求項２５】
新しい期間の開始を識別する段階と、
それに応答して、前の期間に関する電力消費の記録を消去する段階と
をさらに有することを特徴とする請求項２１に記載の方法。
【請求項２６】
前記新しい期間の開始の識別に応答して、前の期間に関する電力消費の記録内の情報を長期的な電力消費の記録に変換する段階をさらに有することを特徴とする請求項２５に記載の方法。
【請求項２７】
前記ユーザに前記電力消費フィードバックを提示する段階は、５つのソフトウェアアプリケーションを識別する提示と、前記識別されたソフトウェアアプリケーションによって消費された電力量の指示とを表示する段階を含むことを特徴とする請求項２１に記載の方法。
【請求項２８】
前記ユーザに前記電力消費フィードバックを提示する段階は、期間の異なるクラスを識別する提示と、前記異なるクラス内の動作中に消費された平均電力量の指示とを表示する段階を含むことを特徴とする請求項２１に記載の方法。
【請求項２９】
バッテリーと、
複数の異なるアプリケーションを実行し、
アプリケーションによるハードウェア構成要素の使用を識別し、
前記ハードウェア構成要素及び前記アプリケーションに、前記アプリケーションによるハードウェア構成要素の前記使用による電力消費を起因付けし、
前記起因付けされた電力消費を記録し、
前記ハードウェア構成要素、前記アプリケーション、及び前記起因付けされた電力消費を識別する電力の会計を、ディスプレイスクリーンを使用して提示するように構成されたディスプレイスクリーン及びデータ処理ユニットを具備するハードウェア構成要素のコレクションと、
を有するバッテリー式電子デバイス。
【請求項３０】
ハードウェアによって実装されるとともに、ハードウェア構成要素の前記コレクションの第1のハードウェア構成要素によって消費された電力を特徴付けるパラメータを測定するための電力測定ユニットをさらに具備することを特徴とする請求項２９に記載の電子デバイス。
【請求項３１】
前記電力測定ユニットは、電流計を具備することを特徴とする請求項３０に記載の電子デバイス。
【請求項３２】
前記ディスプレイスクリーンは、前記コレクション中の個々のハードウェア構成要素によって消費された電力の会計を提示することを特徴とする請求項２９に記載の電子デバイス。
【請求項３３】
データ記憶デバイスをさらに具備し、
前記データ記憶デバイスは、
現在の期間中に前記異なるアプリケーションによって消費された電力を特徴付ける情報の構造化されたコレクションと、
前記現在の時間より長い期間にわたって前記異なるアプリケーションによって消費された電力を特徴付ける情報の構造化されたコレクションとを記憶することを特徴とする請求項２９に記載の電子デバイス。
【請求項３４】
前記データ処理ユニットは、前記異なるアプリケーションによって前記コレクション中のハードウェア構成要素を使用して実行される活動を監視するように、かつ前記異なるアプリケーションのそれぞれに起因付けできる電力消費推定を計算するように構成されることを特徴とする請求項２９に記載の電子デバイス。
【請求項３５】
前記異なるアプリケーションによる電力消費を推定するための変換規則を記憶する1つまたは複数の持続性データ記憶デバイスをさらに具備することを特徴とする請求項３４に記載の電子デバイス。
【請求項３６】
コンピュータプログラムを用いて符号化された不揮発性コンピュータ記憶媒体であって、前記プログラムは、データ処理装置によって実行されるとき、前記データ処理装置に動作を実行させる命令を有し、
前記動作は、
バッテリー式電子デバイスのデータ処理装置によって実行されるアプリケーションによって実行される活動を監視する段階と、
前記活動に関する電力消費を推定する段階と、
活動に関して、前記バッテリー式電子デバイスの１つまたは複数のハードウェア構成要素と、前記活動を実行するための１つまたは複数のハードウェア構成要素を使用するアプリケーションとに前記推定した電力消費を起因付ける段階と、
前記活動を実行した前記アプリケーションを識別する情報に関連するとともに、前記活動を実行するために前記アプリケーションによって使用される前記1つまたは複数のハードウェア構成要素を識別する情報に関連する前記推定された電力消費を特徴付ける情報を記録する段階と、
前記記録された情報に基づいて前記バッテリー式電子デバイスのディスプレイスクリーン上に前記推定した電力消費の会計をユーザに提示する段階であって、前記会計は、前記推定した電力消費と、前記活動を実行した前記アプリケーションと、前記活動を実行するために前記アプリケーションによって使用される前記1つまたは複数のハードウェア構成要素とを識別する、提示する段階とを有することを特徴とする不揮発性コンピュータ記憶媒体。
【請求項３７】
コンピュータプログラムを用いて符号化された不揮発性コンピュータ記憶媒体であって、前記プログラムは、データ処理装置によって実行されるとき、前記データ処理装置に動作を実行させる命令を有し、前記動作は、
バッテリー式電子デバイスのデータ処理装置によって実行されるアプリケーションによって実行される活動を監視する段階と、
前記活動に関する電力消費を推定する段階とを有し、
前記電力消費を推定する段階は、
第1のアプリケーションが、ハードウェア構成要素上のロックを保留することを識別する段階であって、アクティブ状態中の前記ハードウェア構成要素を維持する、識別する段階と、
前記第1のアプリケーションに前記ロックの間に消費された追加の電力を起因付ける段階とを有し、
前記動作は、
前記活動を実行した前記アプリケーションを識別する情報に関連する前記電力消費を特徴付ける情報を記録する段階と、
前記記録された情報に基づいて前記バッテリー式電子デバイスのディスプレイスクリーン上に前記アプリケーションによって前記推定した電力消費の会計をユーザに提示する段階とを有し、
前記ロックは、起動ロックを有し、
前記活動に関する前記電力消費を推定する段階は、
前記第1のアプリケーションが前記起動ロックを保留すると同時に、第2のアプリケーションが前記起動ロックを保留することを識別する段階と、
前記起動ロックの間に消費された追加電力の一部を前記第1のアプリケーションに、一部を前記第2のアプリケーションに起因付ける段階とを有することを特徴とする不揮発性コンピュータ記憶媒体。
【請求項３８】
コンピュータプログラムを用いて符号化された不揮発性コンピュータ記憶媒体であって、前記プログラムは、データ処理装置によって実行されるとき、前記データ処理装置に動作を実行させる命令を有し、前記動作は、
バッテリー式電子デバイスのデータ処理装置によって実行されるアプリケーションによって実行される活動を監視する段階と、
ハードウェアセンサをアクティブにする前記第1のアプリケーションの要求を識別する前記活動に関する電力消費を推定する段階と、
前記活動を実行した前記アプリケーションを識別する情報に関連する前記電力消費を特徴付ける情報を記録する段階と、
前記記録された情報に基づいて前記バッテリー式電子デバイスのディスプレイスクリーン上に前記アプリケーションによって前記推定した電力消費の会計をユーザに提示する段階とを有することを特徴とする不揮発性コンピュータ記憶媒体。